(57)【要約】【課題】個室並の高級感及び開放感を兼ね備えた理美容作業スペースを実現することができる理美容用設備を提供する。【解決手段】理美容作業可能な広さを有し、上面の作業床面１１が略水平となるように室内床面１２の上に設置された基台１４と、一辺が出入口１６として開かれた略正八角形の開断面が上下方向に延在された筒状体で、基台１４の外周に沿って配設された側壁１８と、を含んで理美容用ブース１０を構成し、作業床面１１が周囲の室内床面１２よりも高く、側方が側壁１８で隔てられ、且つ、側方の一部及び上方が開放された理美容作業スペース２２を形成した。【選択図】　　　図１
2004137853.tif 000002
【特許請求の範囲】
【請求項１】
理美容作業可能な広さを有し、上面の作業床面が略水平となるように室内床面の上に設置された基台と、一部が開かれた略多角形の開断面が上下方向に延在された筒状体で、前記基台の外周に沿って配設された側壁と、を含んでなり、前記作業床面が周囲の前記室内床面よりも高く、側方が前記側壁で隔てられ、且つ、側方の一部及び上方が開放された理美容作業スペースが形成された
ことを特徴とする理美容用ブース。
【請求項２】
請求項１において、
前記側壁は、前記略多角形の開断面の角部に配設される上下方向の支柱と、該支柱の上端を連結する上部フレームと、前記支柱の下端を連結する下部フレームと、前記支柱、前記上部フレーム及び前記下部フレームの間に配設される側板と、を含んで構成され、分解・組立て自在とされた
ことを特徴とする理美容用ブース。
【請求項３】
請求項１又は２において、
前記側壁は、一辺が出入口として開かれた略正八角形の開断面を有する筒状体である
ことを特徴とする理美容用ブース。
【請求項４】
請求項３において、
前記出入口に対向する前記側壁の前側部に第１の鏡が、前記前側部に隣接する前記側壁の前側角部に第２の鏡が、前記出入口に隣接する前記側壁の後側角部に第３の鏡が、それぞれ反射面が内向きとなるように、前記側壁の一部として又は前記側壁と別体で配設された
ことを特徴とする理美容用ブース。
【請求項５】
請求項４において、
前記第３の鏡は、前記側壁の一部として配設され、且つ、上下方向の軸廻りに回転自在とされて前記反射面の方向が調節自在とされた
ことを特徴とする理美容用ブース。
【請求項６】
請求項１乃至５のいずれかにおいて、
前記側壁は、少なくとも一部が半透明とされた
ことを特徴とする理美容用ブース。
【請求項７】
請求項１乃至６のいずれかにおいて、
前記側壁の内側に照明灯が配設された
ことを特徴とする理美容用ブース。
【請求項８】
請求項１乃至７のいずれかにおいて、
前記作業床面に沿って前記側壁に、前記作業床面上の毛髪を掃き出すための掃除用掃出開口部が形成された
ことを特徴とする理美容用ブース。
【請求項９】
請求項８において、
前記側壁の外側に前記掃除用掃出開口部に連通するバキューム掃除機が設置された
ことを特徴とする理美容用ブース。
【請求項１０】
請求項１乃至９のいずれかにおいて、
前記作業床面と前記室内床面との間に電気配線及び給排水配管の少なくとも一方を配設可能であるように、前記基台に空隙部が設けられた
ことを特徴とする理美容用ブース。
【発明の詳細な説明】
【０００１】
【発明の属する技術分野】
本発明は、理美容作業スペースを形成するための理美容用設備に関する。
【０００２】
【従来の技術】
従来、多くの理容室、美容室（以下、「理美容室」という）では、理美容用椅子及び鏡が複数ユニット備えられており、又、理美容室の内装は、開放感があるデザインが好まれ、重厚なデザインは敬遠されている。
【０００３】
一方、利用者に対して高級なイメージを与えるために、各理美容用椅子間に一定の仕切りを設け、個室のような内装とした理美容室（例えば、特許文献１参照）が少なからず見受けられる。このような理美容室では開放感を維持するため、仕切りがパーティション等で簡単に構成されることが多い。
【０００４】
【特許文献１】
特開平９―１２５７２１号公報
【０００５】
【発明が解決しようとする課題】
しかしながら、パーティション等の簡単な仕切りで個室並の高級感を実現することは実際上困難であった。一方、仕切りを重厚なデザインとすれば、個室並の高級感を実現しうるが、開放感が損なわれることとなる。即ち、個室並の高級感と開放感とを両立させることは困難であるという問題があった。
【０００６】
尚、実際に個室を設けると、同様に開放感が損なわれると共に高コストであるという問題がある。
【０００７】
本発明は以上の問題点に鑑みてなされたものであって、個室並の高級感及び開放感を兼ね備えた理美容作業スペースを実現することができる理美容用設備を提供することをその課題とする。
【０００８】
【課題を解決するための手段】
本発明は、理美容作業可能な広さを有し、上面の作業床面が略水平となるように室内床面の上に設置された基台と、一部が開かれた略多角形の開断面が上下方向に延在された筒状体で、前記基台の外周に沿って配設された側壁と、を含んでなり、前記作業床面が周囲の前記室内床面よりも高く、側方が前記側壁で隔てられ、且つ、側方の一部及び上方が開放された理美容作業スペースが形成されたことを特徴とする理美容用ブースにより、上記課題を解決したものである。
【０００９】
又、前記側壁を、前記略多角形の開断面の角部に配設される上下方向の支柱と、該支柱の上端を連結する上部フレームと、前記支柱の下端を連結する下部フレームと、前記支柱、前記上部フレーム及び前記下部フレームの間に配設される側板と、を含んで構成し、分解・組立て自在とするとよい。
【００１０】
又、前記側壁を、一辺が出入口として開かれた略正八角形の開断面を有する筒状体とするとよい。
【００１１】
この場合、前記出入口に対向する前記側壁の前側部に第１の鏡を、前記前側部に隣接する前記側壁の前側角部に第２の鏡を、前記出入口に隣接する前記側壁の後側角部に第３の鏡を、それぞれ反射面が内向きとなるように、前記側壁の一部として又は前記側壁と別体で配設してもよい。
【００１２】
更に、前記第３の鏡を前記側壁の一部として配設し、且つ、上下方向の軸廻りに回転自在として前記反射面の方向を調節自在としてもよい。
【００１３】
又、前記側壁の少なくとも一部を半透明とするとよい。
【００１４】
更に、前記側壁の内側に照明灯を配設してもよい。
【００１５】
又、前記作業床面に沿って前記側壁に、前記作業床面上の毛髪を掃き出すための掃除用掃出開口部を形成してもよい。
【００１６】
この場合、前記側壁の外側に前記掃除用掃出開口部に連通するバキューム掃除機を設置してもよい。
【００１７】
又、前記作業床面と前記室内床面との間に電気配線及び給排水配管の少なくとも一方を配設可能であるように、前記基台に空隙部を設けてもよい。
【００１８】
本発明によれば、個室並の高級感及び開放感を兼ね備えた理美容作業スペースを実現することができる。
【００１９】
【発明の実施の形態】
以下、本発明の実施形態について図面を参照して詳細に説明する。
【００２０】
図１は、本実施形態に係る理美容用ブース１０の全体構造を示す斜視図、図２は同平面図、図３は図２におけるＩＩＩ−ＩＩＩ線に沿う断面図、図４は図２におけるＩＶ−ＩＶ線に沿う断面図、図５は図２におけるＶ−Ｖ線に沿う断面図である。
【００２１】
理美容用ブース１０は、理美容作業可能な広さを有し、上面の作業床面１１が略水平となるように室内床面１２の上に設置された基台１４と、一辺が出入口１６として開かれた略正八角形の開断面が上下方向に延在された筒状体で、基台１４の外周に沿って配設された側壁１８と、を含んでなり、作業床面１１が周囲の室内床面１２よりも高く、側方が側壁１８で隔てられ、且つ、側方の一部及び上方が開放された理美容作業スペース２２が形成されたことを特徴としている。
【００２２】
ここで、「理美容作業可能な広さ」とは、少なくとも理美容用椅子（後述）等の理美容設備を設置することができ、且つ、設置した理美容設備の周囲を、理美容サービスを提供する者が移動することができる広さという意義である。
【００２３】
又、「筒」という用語は一般的に、断面が閉じた形状の部材という意義で用いられるのに対し、本明細書における「筒状体」という用語は一般的な「筒」に限定されず、開断面が延在された筒のような形状の部材という意義で用いることとする。
【００２４】
基台１４は略正八角形の板状体で、その上面である作業床面１１の高さは室内床面１２から約２００ｍｍとされている。尚、作業床面１１の高さは、理美容室の形状、理美容作業スペース２２で提供する理美容サービスの内容等に応じて適宜設計すればよいが、利用者が１ステップで基台１４上に容易に乗り降りすることができるようにするためには、高さを５０〜３５０ｍｍ程度とすることが好ましい。
【００２５】
又、基台１４には、作業床面１１と室内床面１２との間に電気配線及び給排水配管（図示省略）を配設可能であるように、空隙部２４が設けられている。
【００２６】
側壁１８は、正八角形の開断面の角部に配設される上下方向の支柱２６と、該支柱の上端を連結する上部フレーム２８と、前記支柱の下端を連結する下部フレーム３０と、支柱２６、上部フレーム２８及び下部フレーム３０の間に配設される側板３２と、を含んで構成され、分解・組立て自在とされている。
【００２７】
尚、本実施形態では、側壁１８の高さは約２０００ｍｍであり、略正八角形の一辺の長さは約１１００ｍｍである。基台１４と同様に、側壁１８の高さ及び一辺の長さは、理美容室の形状、理美容作業スペース２２で提供する理美容サービスの内容等に応じて適宜設計すればよいが、上方の開放感を確保しつつ側方が周囲の空間から隔てられるようにするためには、高さを２０００±５００ｍｍ程度とすることが好ましい。又、一般的な理美容作業のためのスペースを確保するためには正八角形の一辺の長さを１１００±５００ｍｍ程度とすることが好ましい。
【００２８】
支柱２６は、図６に拡大して示されるように、断面が約１３５°の角度をなす、く字形状の筒状体で、く字形状の断面における両端部には長手方向に沿って溝部２６Ａが形成されている。
【００２９】
上部フレーム２８は、８本の角パイプが略正八角形に連結された構造で、支柱２６の上端に図示しないねじで締結されている。
【００３０】
下部フレーム３０は、図７に拡大して示されるように、断面がコ字形状の８本の棒状部材からなり、それぞれコ字の開口端を室内床面１２に向けて、基台１４を取り巻くように配置され、２本の支柱２６の間に取付けられている。又、支柱２６の下端には、下部フレーム３０を取付けるためのブラケット２６Ｂが固着されており、該ブラケット２６Ｂを介して下部フレーム３０は支柱２６の下端にねじ３１で締結されている。
【００３１】
尚、支柱２６、上部フレーム２８、下部フレーム３０の材質はいずれもステンレスである。他の材料を用いてもよいが、例えばアルミニウム等の耐錆性を有する金属材料であることが好ましい。
【００３２】
側板３２は、例えばタペストリガラス等の半透明な長方形板状体であり、正八角形の８辺のうち出入口１６がある１辺を除く７辺に、上下方向に４分割されて取付けられている。具体的には、水平方向の両端において支柱２６の溝部２６Ａにゴム等の充填材３０を介して嵌合し、更に、上部フレーム２８及び下部フレーム３０で上下方向から挟まれて固定されている。
【００３３】
又、出入口１６に対向する側壁１８の前側部３４には、第１の鏡３６が、反射面が内向きとなるように配設されている。更に、前側部３４に隣接する側壁１８の前側角部３８には第２の鏡４０が、出入口１６に隣接する側壁１８の後側角部４２には第３の鏡４４が、それぞれ反射面が内向きとなるように側壁１８の一部として配設されている。
【００３４】
尚、本明細書において、「前側、後側」という用語は、理美容作業スペース２２内で出入口１６に対して背を向けた姿勢の利用者を基準とした方向という意義で用いることとする。
【００３５】
第１の鏡３６は、側壁１８の前側部３４よりも一回り小さな長方形板状体で、出入口１６に対向して側壁１８に取付けられている。
【００３６】
又、第１の鏡３６の両側の支柱２６の内側には、上下方向に配置された丸棒状の照明灯４６が配設されている。更に、一方の照明灯４６（図３における右側の照明灯４６）の下方には、電力供給のためのコンセント４８が配設されている。尚、照明灯４６、コンセント４８の電気配線（図示省略）は支柱２６の内側及び基台１４の空隙部２４に配設されている。
【００３７】
第２の鏡４０は、側板３２と等しい幅を有しており、上下方向に４分割された前側角部３８における上から２番目の側板として配設されている。又、第２の鏡４０は、裏面にタペストリミラー（図示省略）が外向きに貼り合わされており、貼り合わされた状態で、側板３２と等しい厚さとされ、側板３２と同様に水平方向両端において２本の支柱２６の溝部２６Ａに嵌合している（図６参照）。尚、前側角部３８の他の部分は、半透明の側板３２で構成されている。
【００３８】
又、一方の前側角部３８（図３における右側の前側角部３８）には、作業床面１２に沿って、該作業床面１２上の毛髪を掃き出すための掃除用掃出開口部５０が形成されている。更に、前側角部３８の外側には、掃除用掃出開口部５０に連通するヘアクラフト（バキューム掃除機）５２が設置されている。尚、掃除用掃出開口部５０は、ステンレス製の側板に形成されている。
【００３９】
第３の鏡４４は、後側角部４２の上下方向に４分割された側板のうち上から２番目の側板として配設されている。又、第３の鏡４４は、縁に沿って第１の外枠５４、第２の外枠５６が設けられている。図８に示されるように、第１の外枠５４は上下方向のピン５７を介して第２の外枠５６に回転自在に支持されている。尚、裏面にタペストリミラー４４Ａが外側に向けて貼り合わされている。又、第２の外枠５６は、水平方向の両端（図示省略）が側板３２と等しい厚さとされており、側板３２と同様に２本の支柱２６に嵌合している（図６参照）。これにより、第３の鏡４４は反射面の方向が調節自在とされている。尚、第１の外枠５３、第２の外枠５６はステンレス製であるが、例えばアルミニウム等の耐錆性のある他の金属材料としてもよい。
【００４０】
前側角部３８と後側角部４２の間の側壁１８の右側部５８、左側部５９は、それぞれ上下方向に４分割された４枚の側板３２で構成されており、全体が半透明とされている。ここで、「右側、左側」という用語も上記「前側、後側」と同様に、理美容作業スペース２２内で出入口１６に対して背を向けた姿勢の利用者を基準とした方向という意義で用いることとする。又、側壁１８の右側部５８、左側部５９内側には、それぞれ水平方向に配置されたステンレス製の２本のガードパイプ６０が上下方向に離間して、支柱２６に取付けられている。尚、側壁１８の右側部５８、左側部５９のいずれにも鏡は取付けられていない。
【００４１】
又、基台１４における中心よりも若干、第１の鏡３６側の位置には、理美容用椅子６２が備えられている。この理美容用椅子６２は、上下方向の軸廻りに回転自在、且つ、背板６２Ａが前後方向に傾斜自在とされている。又、基台１４における中心近傍（理美容用椅子６２の後方）には、洗髪器６４が備えられている。洗髪器６４は、２本のアーム６６Ａ、６６Ｂを介して基台１４における中心よりも側方の位置に支持されており、アーム６６Ａ、６６Ｂを折り曲げることにより理美容用椅子６２の後方に接近・離間自在とされている。又、洗髪器６４の給排水管（図示省略）は、基台１４の空隙部２４に配設されている。
【００４２】
次に、理美容用ブース１０の作用について説明する。
【００４３】
理美容用ブース１０は、理美容作業スペース２２が略正八角形の開断面を有する筒状体の側壁１８により側方から隔てられているので、理美容作業スペース２２内の利用者に対し、周囲の空間から区別された個室のような印象を与える。更に、作業床面１１が周囲の室内床面１２よりも一段高いので、この点でも理美容作業スペース２２内の利用者に対して、周囲の空間から区別された印象を与える。
【００４４】
特に、側壁１８は一辺のみが出入口１６として開かれた正八角形の開断面を有する筒状体であるので、利用者が理美容作業スペース２２内で出入口１６に背を向けると、周囲の空間から前側、右側及び左側において完全に隔てられ、更に斜め後側においても周囲の空間から完全に隔てられるので、利用者に対して個室のような印象を充分に与えることができる。
【００４５】
一方、理美容作業スペース２２は上方に開放され、更に、出入口１６において側方にも一部が開放されているので、理美容作業スペース２２内の利用者に対し、充分な開放感を与える。尚、利用者は、後方の出入口１６に背を向けた姿勢で出入口１６を直接観察することができなくても、出入口１６から理美容作業スペース２２内に入るため後方が解放されているイメージが残る。
【００４６】
更に、側壁１８は、第１の鏡３６、第２の鏡４０及び第３の鏡４４を除く大部分が半透明であるので、この点でも閉塞感が軽減され、開放感が高められている。
【００４７】
更に又、側壁１８の内側に照明灯４６が配設されているので、理美容作業スペース２２内の充分な明るさが確保され、一層閉塞感が軽減されて開放感が高められている。
【００４８】
即ち、理美容作業スペース２２内で出入口１６に背を向けた利用者に対して、理美容用ブース１０は個室のような印象及び開放感を絶妙なバランスで与えることができる。
【００４９】
一方、理美容用ブース１０は、全体形状が略正八角形の筒状体であるため、空間占有率が高い直方体の箱体のように重厚な印象を周囲の観察者に与えることがない。又、側壁１８の多くの部分が半透明であるので、この点でも周囲の観察者に与える重厚感が軽減されている。
【００５０】
更に、側壁１８の内側に照明灯４６が配設されているので、理美容用ブース１０全体が照明灯のような外観を呈し、この点でも重厚感が軽減されている。
【００５１】
即ち、理美容用ブース１０は、理美容作業スペース２２内の利用者に対し、個室並の高級感を与えると共に、理美容作業スペース２２内の利用者及び外側の観察者のいずれに対しても充分な開放感を与える。
【００５２】
又、理美容用ブース１０は、側壁１８が、支柱２６、上部フレーム２８、下部フレーム３０及び側板３２を含んで構成され、分解組立が可能であるので、新規の理美容室ばかりでなく、既存の理美容室においても、容易に組立てることができる。これにより、個室並の高級感があり、且つ、充分な開放感を有する理美容作業スペースを多くの理美容室において容易に実現することができる。
【００５３】
更に、支柱２６が上部フレーム２８、下部フレーム３０及びガードパイプ６０で連結されているので、理美容用ブース１０は充分な構成を有し、構造的に安定している。
【００５４】
更に又、側壁１８は、タペストリガラスの側板、ステンレス製の支柱、フレーム、鏡等で構成されているので、理美容用ブース１０は、耐錆性に優れると共に外観が美しい。
【００５５】
又、理美容用器具にはヘアクラフト５２、洗髪器６４のように電気配線、給排水配管が必要なものが多く、外観を悪化させないよう、配管、配線は、できる限り見えないように配設されることが好ましいが、基台１４に電気配線及び給排水配管を配設可能な空隙部２４が形成されているので、配管、配線を外側から見えないように配設することが容易である。
【００５６】
又、側壁１８の前側角部３８に、掃除用掃出開口部５０が形成され、更にバキューム掃除機５２が設置されているので、基台１４上の毛髪の掃除も容易である。
【００５７】
又、理美容用ブース１０は、全体形状が略正八角形の筒状状であるため、四角形の筒状体、又は直方体の箱体と比較すると一部が理美容作業のために利用できないスペースとなるが、このスペースは、側壁１８の前側角部３８、後側角部４２の裏側の小さな範囲に限定され、更に、一方の前側角部３８の裏側のスペースは、ヘアクラフト５２を設置するために利用されており、理美容室内に設置した場合の利用効率がよい。
【００５８】
次に、第１の鏡３６、第２の鏡４０及び第３の鏡４４の作用について説明する。
【００５９】
理美容のサービスを受ける利用者は、通常、出入口１６に背を向けて理美容用椅子６２に座っており、第１の鏡３６及び第２の鏡４０により、前方及び斜め前方からの自己の像を観察することができる。
【００６０】
更に、第３の鏡４４の反射面の方向を調節することより、自己の頭部を様々な方向から観察することが可能である。
【００６１】
例えば、図９に示されるように、側壁１８の後側角部４２に沿う位置よりも第３の鏡４４を第１の鏡３６に向けて若干回転させれば、図１０に示されるように自己の頭部を斜め前から観察した像、及び自己の頭部を斜め後ろから観察した像を第１の鏡３６に同時に映し出すことが可能である。このように、第３の鏡４４の反射面を適宜調節することにより、理美容のサービスを受ける利用者は、自己の頭部の像を様々な方向から常時観察することが可能である。
【００６２】
尚、本実施形態において、理美容用ブース１０内には、理美容用椅子６２及び洗髪器６４が設置されているが、本発明はこれに限定されるものではなく、提供する理美容サービスの内容に応じて、理美容用ブース内に種々の理美容設備を適宜設置すればよい。例えば、頭髪のパーマネントのための加温器を支柱２６にアームを介して取付けてもよい。
【００６３】
又、本実施形態において、理美容用ブース１０には、ヘアクラフト５２が設置されているが、本発明はこれに限定されるものではなく、例えば、掃除用掃出開口部５０の外側に、毛髪を収容するための容器を設置してもよい。この場合も、基台１４上の毛髪を箒等で掃除用掃出開口部５０に払い出すことにより、毛髪が容器に収容され、清掃作業が容易である。更に、掃除用掃出開口部５０を設けることなく、一般的な掃除機、掃除用具で毛髪を清掃するようにしてもよい。
【００６４】
又、本実施形態において、側壁１８の内側に照明灯４６が配設されているが、本発明はこれに限定されるものではなく、建造物の天井の照明灯等により、充分な明るさが得られる場合には、側壁１８の内側の照明灯を省略してもよい。
【００６５】
又、本実施形態において、側壁１８は、支柱２６と、側板３２と、上部フレーム２８と、下部フレーム３０と、を含んで構成されているが、本発明はこれに限定されるものではなく、支柱と側板により充分な剛性が得られる場合には、上部フレーム、下部フレームの一方又は両方を省略してもよい。更に、側板同士を直接連結するようにして支柱を省略してもよい。
【００６６】
又、本実施形態において、側壁１８は、一部が半透明とされているが、本発明はこれに限定されるものではなく、例えば、側方の開放感よりも理美容作業スペースと周囲の空間との区別が重視されるような場合には、透光性が無い側壁としてもよい。
【００６７】
又、本実施形態において、第３の鏡４４は、上下方向の軸廻りに回転自在とされて反射面の方向が調節自在とされているが、本発明はこれに限定されるものではなく、例えば、一対の第３の鏡４４のうちの一方又は両方を側壁に沿って固定してもよい。この場合も、理美容用椅子に座っている利用者の頭部の斜め前方からの像を第１の鏡３６に映すことが可能である。
【００６８】
更に、本実施形態において、鏡は側壁１８の前側部３４、前側角部３８及び後側角部４２に取付けられているが、本発明はこれに限定されるものではなく、求められる頭部の観察方向に応じて側壁の内側に鏡を適宜配設すればよい。
【００６９】
又、側壁１８の前側角部３８には、鏡に代えて例えば液晶ディスプレイ、プラズマディスプレイ等の薄型ディスプレイを配設してもよい。このような薄型ディスプレイを配設することで開放感を一層高めることができると共に高級感も高めることができる。
【００７０】
又、本実施形態において、側壁１８は正八角形の開断面を有する筒状体とされているが、本発明はこれに限定されるものではなく、七角形以下又は九角形以上の他の多角形の開断面を有する筒状体の側壁としてもよい。尚、この場合、例えば六角形、十角形のように、偶数角の多角形とすることが好ましい。このようにすることで、理美容作業スペース内の利用者及び外側の観察者に対し、均一な印象を与えると共に、理美容室内への設置、側壁内側への鏡の配設等が容易である。
【００７１】
【発明の効果】
以上説明したように、本発明によれば、個室並の高級感及び開放感を兼ね備えた理美容作業スペースを実現することが可能になるという優れた効果がもたらされる。
【図面の簡単な説明】
【図１】本発明の実施形態に係る理美容用ブースの全体構造を示す斜視図
【図２】同理美容用ブースの平面図
【図３】図２におけるＩＩＩ―ＩＩＩ線に沿う断面図
【図４】図２におけるＩＶ―ＩＶ線に沿う断面図
【図５】図２におけるＶ―Ｖ線に沿う断面図
【図６】図３におけるＶＩ―ＶＩ線に沿う断面図
【図７】図３におけるＶＩＩ部を拡大して示す断面図
【図８】図４におけるＶＩＩＩ―ＶＩＩＩ線に沿う断面図
【図９】同理美容用ブースの第１〜第３の鏡による反射態様の例を模式的に示す平面図
【図１０】図９に示す反射態様により第１の鏡に映される像を示す正面図
【符号の説明】
１０…理美容用ブース
１１…作業床面
１２…室内床面
１４…基台
１６…出入口
１８…側壁
２２…理美容作業スペース
２４…空隙部
２６…支柱
２８…上部フレーム
３０…下部フレーム
３２…側板
３４…前側部
３６…第１の鏡
３８…前側角部
４０…第２の鏡
４２…後側角部
４４…第３の鏡
４６…照明灯
４８…コンセント
５０…掃除用掃出開口部
５２…ヘアクラフト（バキューム掃除機）
５４…第１の外枠
５６…第２の外枠
５７…ピン
５８…右側部
５９…左側部
６０…ガードパイプ
６２…理美容用椅子
６４…洗髪器
【図１】
2004137853.tif 000003
【図２】
2004137853.tif 000004
【図３】
2004137853.tif 000005
【図４】
2004137853.tif 000006
【図５】
2004137853.tif 000007
【図６】
2004137853.tif 000008
【図７】
2004137853.tif 000009
【図８】
2004137853.tif 000010
【図９】
2004137853.tif 000011
【図１０】
2004137853.tif 000012